(57)【特許請求の範囲】
【請求項１】
ＩＳＤＮ回線に接続され、上位装置およびアナログ端末等の接続を可能にするＩＳＤＮ端末装置において、
前記上位装置および前記アナログ端末の回線切断処理が終了しているとき、一時的に回線を物理的に切断する切断手段と、各部動作を制御する制御部およびユーザが設定可能なタイマを備え、前記制御部は、前記回線切断処理が終了したとき前記タイマにタイマ起動信号を送り、前記タイマのカウント終了後に前記切断手段に回線切断信号を出すことを特徴とするＩＳＤＮ端末装置。
【請求項２】
前記切断手段は、電源を切断する電源切断部であることを特徴とする請求項１に記載のＩＳＤＮ端末装置。
【請求項３】
内部の時計が前記タイマで設定した一定時刻になるとき、前記電源切断部を作動して回線を物理的に切断することを特徴とする請求項２に記載のＩＳＤＮ端末装置。
【請求項４】
前記回線切断処理の終了を記憶する記憶部を備えることを特徴とする請求項１乃至３のいずれかに記載のＩＳＤＮ端末装置。
【請求項５】
上位装置およびアナログ端末がＢ１、Ｂ２チャネルを介してＩＳＤＮ回線に接続されているＩＳＤＮ端末装置において、
前記上位装置からの回線切断命令を検出する上位装置切断命令検出部と、
前記アナログ端末からの回線切断命令を検出するフック信号状態検出部と、
前記ＩＳＤＮ回線上のＤチャネル信号状態を監視するＤチャネル監視部と、
制御部と、
タイマ起動信号を受けて任意タイマを起動させるタイマと、
回線切断信号を受けて一時的に回線の物理的切断を行う回線切断部と、
回線の切断状況を記憶する記憶部と、
ターミナルアダプタ部とを備え、
前記上位装置切断命令検出部、フック信号状態検出部及びＤチャネル監視部からの信号に基づいて回線切断要求が出された場合には、対応する回線切断処理を実行して当該回線切断処理の状況を前記記憶部に記憶し、
前記制御部は、前記記憶部の記憶内容に基づいて回線切断処理が終了している状態を確認した後、タイマ起動信号を前記タイマに出力し、前記タイマが設定値のカウントを終了する前に回線接続があった場合には前記タイマをリセットして回線切断前の処理に戻り、前記タイマのカウント終了までに回線接続がなかった場合には、前記回線切断部に前記ＩＳＤＮ回線を物理的に切断するための回線切断信号を出力して回線の物理的切断を一時的に行なうことにより、
前記ターミナルアダプタ部としては回線切断を終了している場合、何らかの不具合によって回線側は回線切断を行えず接続状態のままであった状態が発生したとしても確実な回線切断処理を行なうことを特徴とするＩＳＤＮ端末装置。
【請求項６】
上位装置およびアナログ端末がＢ１、Ｂ２チャネルを介してＩＳＤＮ回線に接続されているＩＳＤＮ端末装置において、
前記上位装置からの回線切断命令を検出する上位装置切断命令検出部と、
前記アナログ端末からの回線切断命令を検出するフック信号状態検出部と、
前記ＩＳＤＮ回線上のＤチャネル信号状態を監視するＤチャネル監視部と、
制御部と、
タイマ起動信号を受けて任意タイマを起動させるタイマと、
電源切断信号を受けて電源ラインの物理的切断を行う電源切断部と、
回線の切断状況を記憶する記憶部と、
ターミナルアダプタ部とを備え、
前記上位装置切断命令検出部、フック信号状態検出部及びＤチャネル監視部からの信号に基づいて回線切断要求が出された場合には、対応する回線切断処理を実行して当該回線切断処理の状況を前記記憶部に記憶し、
前記制御部は、前記記憶部の記憶内容に基づいて回線切断処理が終了している状態を確認した後、タイマ起動信号を前記タイマに出力し、前記タイマが設定値のカウントを終了する前に回線接続があった場合には前記タイマをリセットして回線切断前の処理に戻り、前記タイマのカウント終了までに回線接続がなかった場合には、前記電源切断部に前記電源切断信号を送出し、電源ラインの物理的切断を行うことにより回線の切断を行い、
前記ターミナルアダプタ部としては回線切断を終了している場合、何らかの不具合によって回線側は回線切断を行えず接続状態のままであった状態が発生したとしても確実な回線切断処理を行なうことを特徴とするＩＳＤＮ端末装置。
【発明の詳細な説明】
【０００１】
【発明の属する技術分野】
本発明は通信端末装置に関し、特にＩＳＤＮ回線および上位装置間に接続されるＩＳＤＮ（サービス総合デジタル網）端末装置に関する。
【０００２】
【従来の技術】
コンピュータを始めとするデジタル情報処理機器の発達により、通信の大部分が従来のアナログ音声通信からデジタル機器間のデータ通信により占められている。家庭又はオフィスにおける公衆回線を利用する通信を一層効率的に行うために、ＩＳＤＮ端末装置が提案され実用化されている。
【０００３】
ＩＳＤＮでは、ユーザとネットワーク間の制御のためのシグナリング情報を運ぶＤチャネルとユーザ情報を運ぶＢチャネルとを介して通信が実行される。この通信は、ＤＳＵやＴＡを含む端末を介してネットワークと、上位装置としてのパソコンやアナログ端末としての電話機等の通信端末とが接続され、ＤチャネルとＢチャネルを介して行われる。
【０００４】
かかるＩＳＤＮにおいては、通信端末からの回線切断要求が到来すると回線切断処理を実行する。ＩＳＤＮネットワークと通信端末との接続、切断を効率的に行うための提案が各種為されている。
【０００５】
例えば、特開平５−１９９３２５号公報には、ＩＳＤＮ網に接続されている通信手段の回線切断を検出したとき、監視タイマーで設定されている時間以内に再度回線への接続が為されたときには記憶されている通信先への回線を設定する通信装置が開示されている。
【０００６】
また、特開平５−２７６２６２号公報には、データの授受が途切れてから第１の所定時間経過後に、現在接続中の相手先電話番号を記憶した上で回線を自動切断し、その後第２の所定時間が経過するまでにデータ入力が再開されたとき記憶しておいた電話番号へオートダイヤルして回線を再接続することにより、データ授受が途切れた後における無駄な回線つながりをなくし、再接続の手間を省く通信端末装置が開示されている。
【０００７】
特開平６−５４０２３号公報には、ＩＳＤＮ回線のチャネルについて通信データを監視し、通信データがない場合の継続時間が所定時間に至ったときに通信中の回線を自動的に切断する通信端末アダプタ装置が開示されている。
【０００８】
特開平６−１０５００５号公報には、通信中のみユーザ端末への電源供給により効率的電源制御を行なうＡＣアウトレット内蔵ターミナルアダプタが開示されてる。
【０００９】
特開平１０−９３６３６号公報には、クライアント・サーバー方式でデータの送受が中断しているときに、他のルータからのアクセスを拒否し、切断前のルータからのアクセスのみを受け付けるようにしたＩＳＤＮ回線の自動接続・切替管理方法とサーバー用ルータが開示されている。
【００１０】
【発明が解決しようとする課題】
ところで、上述の従来のシステムや装置を含め、従来のＩＳＤＮ端末装置においては、何らかのノイズ等によりＤチャネル信号が誤検出されると、局側および端末装置側で状態の不一致が発生した場合に、回線を切断していると誤認してそのまま放置すると、回線事業者から予想外に多額の回線使用料の請求を受けるという事態が生じ得る。ここで、上記状態不一致とは、例えばＩＳＤＮ端末装置側は切断終了しているが、回線側は回線の接続が終了していない場合である。
【００１１】
【発明の目的】
本発明は、従来技術の上述した課題に鑑み為されたものであり、回線側および端末装置側で状態不一致が生じた場合に、不当に多額の回線利用料の請求を受ける事態を回避可能なＩＳＤＮ端末装置を提供することを目的とする。
【００１２】
【課題を解決するための手段】
前述の課題を解決するため、本発明によるＩＳＤＮ端末装置は、次のような特徴的な構成を採用している。
【００１３】
（１）ＩＳＤＮ回線に接続され、上位装置およびアナログ端末等の接続を可能にするＩＳＤＮ端末装置において、
前記上位装置および前記アナログ端末の回線切断処理が終了しているとき、一時的に回線を物理的に切断する切断手段と、各部動作を制御する制御部およびユーザが設定可能なタイマを備え、前記制御部は、前記回線切断処理が終了したとき前記タイマにタイマ起動信号を送り、前記タイマのカウント終了後に前記切断手段に回線切断信号を出すＩＳＤＮ端末装置。
【００１４】
（２）前記切断手段は、電源を切断する電源切断部である上記（１）のＩＳＤＮ端末装置。
【００１５】
（３）内部の時計が前記タイマで設定した一定時刻になるとき、前記電源切断部を作動して回線を物理的に切断する上記（２）のＩＳＤＮ端末装置。
【００１６】
（４）前記回線切断処理の終了を記憶する記憶部を備える上記（１）乃至（３）のいずれかのＩＳＤＮ端末装置。
【００１７】
（５）上位装置およびアナログ端末がＢ１、Ｂ２チャネルを介してＩＳＤＮ回線に接続されているＩＳＤＮ端末装置において、前記上位装置からの回線切断命令を検出する上位装置切断命令検出部と、前記アナログ端末からの回線切断命令を検出するフック信号状態検出部と、前記ＩＳＤＮ回線上のＤチャネル信号状態を監視するＤチャネル監視部と、制御部と、タイマ起動信号を受けて任意タイマを起動させるタイマと、回線切断信号を受けて一時的に回線の物理的切断を行う回線切断部と、回線の切断状況を記憶する記憶部と、ターミナルアダプタ部とを備え、前記上位装置切断命令検出部、フック信号状態検出部及びＤチャネル監視部からの信号に基づいて回線切断要求が出された場合には、対応する回線切断処理を実行して当該回線切断処理の状況を前記記憶部に記憶し、前記制御部は、前記記憶部の記憶内容に基づいて回線切断処理が終了している状態を確認した後、タイマ起動信号を前記タイマに出力し、前記タイマが設定値のカウントを終了する前に回線接続があった場合には前記タイマをリセットして回線切断前の処理に戻り、前記タイマのカウント終了までに回線接続がなかった場合には、前記回線切断部に前記ＩＳＤＮ回線を物理的に切断するための回線切断信号を出力して回線の物理的切断を一時的に行なうことにより、前記ターミナルアダプタ部としては回線切断を終了している場合、何らかの不具合によって回線側は回線切断を行えず接続状態のままであった状態が発生したとしても確実な回線切断処理を行なうＩＳＤＮ端末装置。
【００１８】
（６）上位装置およびアナログ端末がＢ１、Ｂ２チャネルを介してＩＳＤＮ回線に接続されているＩＳＤＮ端末装置において、前記上位装置からの回線切断命令を検出する上位装置切断命令検出部と、前記アナログ端末からの回線切断命令を検出するフック信号状態検出部と、前記ＩＳＤＮ回線上のＤチャネル信号状態を監視するＤチャネル監視部と、制御部と、タイマ起動信号を受けて任意タイマを起動させるタイマと、電源切断信号を受けて電源ラインの物理的切断を行う電源切断部と、回線の切断状況を記憶する記憶部と、ターミナルアダプタ部とを備え、前記上位装置切断命令検出部、フック信号状態検出部及びＤチャネル監視部からの信号に基づいて回線切断要求が出された場合には、対応する回線切断処理を実行して当該回線切断処理の状況を前記記憶部に記憶し、前記制御部は、前記記憶部の記憶内容に基づいて回線切断処理が終了している状態を確認した後、タイマ起動信号を前記タイマに出力し、前記タイマが設定値のカウントを終了する前に回線接続があった場合には前記タイマをリセットして回線切断前の処理に戻り、前記タイマのカウント終了までに回線接続がなかった場合には、前記電源切断部に前記電源切断信号を送出し、電源ラインの物理的切断を行うことにより回線の切断を行い、前記ターミナルアダプタ部としては回線切断を終了している場合、何らかの不具合によって回線側は回線切断を行えず接続状態のままであった状態が発生したとしても確実な回線切断処理を行なうＩＳＤＮ端末装置。
【００２０】
【発明の実施の形態】
以下、本発明によるＩＳＤＮ端末装置の好適実施形態の構成および動作を、添付図面を参照して詳細に説明する。
【００２１】
先ず、図１は、本発明によるＩＳＤＮ端末装置の好適又は第１実施形態の全体構成を示すブロック図である。このＩＳＤＮ端末装置１０は、ＩＳＤＮ回線１１に接続されると共に上位装置１２およびアナログ端末（例えば電話機）１３に接続される。
【００２２】
このＩＳＤＮ端末装置１０は、上位装置切断命令検出部１、フック信号状態検出部２、Ｄチャネル監視部３、制御部４、タイマ５、回線切断部６、記憶部７および従来のターミナルアダプタとしての動作部分（以下、ターミナルアダプタ部という）８とにより構成される。
【００２３】
上位装置切断命令検出部１は、上位装置１２に接続されると共に制御部４およびターミナルアダプタ部８に接続されている。また、フック信号検出部２は、アナログ端末１３に接続されると共に制御部４およびターミナルアダプタ部８に接続されている。制御部４は、Ｄチャネル監視部３、タイマ５および記憶部７に接続されている。Ｄチャネル監視部３は、ターミナルアダプタ部８および回線切断部６に接続されている。また、回線切断部６は、ＩＳＤＮ回線１１およびタイマ５に接続されている。
【００２４】
上述の如く、上位装置１２およびアナログ端末１３がＩＳＤＮ端末装置１０を通してＢ１、Ｂ２チャネルを使用してＩＳＤＮ回線１１に接続している場合の具体例について説明する。上位装置１２がＢ１チャネルで回線接続されており、アナログ端末１３がＢ２チャネルで回線接続されているとする。ここで、回線接続を行ったとき、Ｂ１、Ｂ２チャネルは、回線接続状態であることをＤチャネル監視部３から制御部４にメッセージを出す。そして、制御部４は、Ｂ１、Ｂ２チャネルが回線接続状態であることを記憶部７に記憶させる。
【００２５】
ここで、上位装置１２からＩＳＤＮ端末装置１０に対して回線切断メッセージが送られてきた場合には、上位装置切断命令検出部１がこれを検出して制御部４にメッセージを出力する。制御部４は、このメッセージを受けて、ターミナルアダプタ部８に対してＢ１チャネルの回線切断処理を行わせる。ここで、Ｂ１チャネルの回線切断処理が終了すると、記憶部７にＢ１チャネルの切断処理が終了したことを記憶する。
【００２６】
次に、アナログ端末１３からＩＳＤＮ端末装置１０に対してオフフック信号等の切断メッセージを出力すると、これをフック信号状態検出部２が検出して、制御部４にメッセージを出力する。制御部４は、このメッセージを受けて、ターミナルアダプタ部８に対してＢ２チャネルの回線切断処理を行わせる。ここで、Ｂ２チャネルの回線切断処理が終了すると、記憶部７にＢ２チャネルの切断処理が終了したことを記憶する。
【００２７】
ここで、前述の如く、状態不一致（Ｂ１、Ｂ２チャネルともにターミナルアダプタとしては回線切断処理が終了しているが、何らかの原因で網側がターミナルアダプタ部８との切断処理を終了できず、接続状態のままであった場合）が発生する場合がある。この場合には、状態不一致を改善する手段がないために、回線事業者より多額の回線使用料を請求されることになる等の不都合が発生する可能性がある。しかし、制御部４が記憶部７の記憶データを読み込んで、Ｂ１、Ｂ２チャネルとも回線切断処理が終了している状態であると分かれば、制御部４はタイマ５に起動信号を送出する。すると、タイマ５が設定した値（設定値はユーザが設定可能である）をカウントした後に、制御部４は回線切断部６（例えばリレー等）に回線切断信号を出して一時的に回線物理的切断を行わせる。これにより、状態不一致が発生したとしても、この物理的回線切断を行うことにより正常に回線切断処理が行われることになる。
【００２８】
図１に示す特定例として、上位装置１２およびアナログ端末１３がＩＳＤＮ端末装置１０を通してＢ１、Ｂ２チャネルを使用してＩＳＤＮ回線１１に接続している場合に、回線１１側から切断要求が送られてきた場合を考える。先ず、回線側からＢ１チャネルで切断メッセージがきた場合には、Ｄチャネル監視部３は、回線側からＢ１チャネル切断メッセージがあったことを制御部４にメッセージで伝える。制御部４は、このメッセージを受けて、ターミナルアダプタ部８に対してＢ１チャネル回線切断処理を行わせる。ここで、Ｂ１チャネルの回線切断処理が終了すると、記憶部７にＢ１チャネルの切断処理が終了していることを記憶する。
【００２９】
次に、回線側からＢ２チャネルで切断メッセージがきた場合に、Ｄチャネル監視部３は、回線側からＢ２チャネル切断メッセージがあったことを制御部４にメッセージで伝える。制御部４は、このメッセージを受けてターミナルアダプタ部８に対してＢ２チャネル回線切断処理を行わせる。ここで、Ｂ２チャネルの回線切断処理が終了すると、記憶部７にＢ２チャネルの切断処理が終了したことを記憶する。
【００３０】
ここで、状態不一致（Ｂ１、Ｂ２チャネル共にターミナルアダプタとしては回線切断処理が終了しているが、何らかの原因で網側がターミナルアダプタ部８との切断処理を終了できず、接続状態のままである場合）が発生した場合には、状態不一致を改善する手段がないために回線事業者より多額の回線使用料を請求されることになる等のユーザに不利益が生じる可能性がある。
【００３１】
しかし、制御部４が記憶部７の記憶データを読み込んでＢ１、Ｂ２チャネル共に回線切断処理が終了している状態であると分かれば、制御部４は、タイマ５に起動信号を送出する。そして、タイマ５が設定した値（設定値はユーザが設定できるものとする）をカウントした後に、制御部４は、回線切断部６（例えばリレー等）に回線切断信号を出力して一時的に回線の物理的切断を行わせる。そして、状態不一致が発生したとしても、この物理的回線切断を行うことにより確実に回線切断処理が行われることになる。
【００３２】
次に、図１に示す本発明によるＩＳＤＮ端末装置１０の動作を、図２および図３のフローチャートを参照して説明する。図２は、図１に示すＩＳＤＮ端末装置１０の全体の動作を示し、図３は、図２のフローチャートを補足するフローチャートである。
【００３３】
上述の如く、上位装置切断命令検出部１は、上位装置１２からの回線切断命令を検出する。フック信号状態検出部２は、アナログ端末１３からの回線切断命令を検出する。Ｄチャネル監視部３は、ＩＳＤＮ回線１１上のＤチャネル信号状態を監視する。制御部４は、ＩＳＤＮ端末装置１０の全体を制御する。タイマ５は、制御部４からのタイマ起動信号を検出し、任意タイマを起動させる。回線切断部６は、タイマ５がオーバーフローしてから制御部４が出力する回線切断信号を受けて一時的に回線の物理的切断を行う。記憶部７は、回線の状況を記憶する、例えば半導体メモリである。ターミナルアダプタ部８は、従来のターミナルアダプタとして動作する部分である。図１の例では、ＩＳＤＮ装置１０を通して上位装置１２およびアナログ端末１３がＢ１、Ｂ２チャネルを使用してＩＳＤＮ回線１１に接続されている。
【００３４】
先ず、上位装置切断命令検出部１、フック信号状態検出部２又はＤチャネル監視部３が切断命令を検出したか否か判断する（ステップＳ１）。上位装置１２、アナログ端末１３又はＩＳＤＮ回線１１側から回線切断要求がない場合には（ステップＳ１：ＮＯ）、何も検知しないので「ＳＴＡＲＴ」に戻って待機する。回線切断要求が出された場合には（ステップＳ１：ＹＥＳ）、それを検知して次のステップＳ２に進む。
【００３５】
上位装置１２側の上位装置切断命令検出部、アナログ端末１３側のフック信号状態検出部２又はＩＳＤＮ回線１１側のＤチャネル監視部３が回線切断要求を検知した場合には（ステップＳ１：ＹＥＳ）、検出した切断命令がＢ１チャネルのものか否か判断する（ステップＳ２）。回線切断要求がＢ１チャネルの回線切断要求であれば（ステップＳ２：ＹＥＳ）、制御部４は、ターミナルアダプタ部８にＢ１チャネルの切断処理を行わせる（ステップＳ３）。一方、検出した回線切断要求がＢ１チャネルのものでないと（ステップＳ２：ＮＯ）、検出した切断信号がＢ２チャネルのものか否か判断する（ステップＳ１２）。Ｂ２チャネルの回線切断要求だった場合には（ステップＳ１２ＹＥＳ）、Ｂ２側で以下も同様の処理、即ちＢ２回線切断処理を行う（ステップＳ１３）。Ｂ２チャネルの回線切断要求でない場合には（ステップＳ１２：ＮＯ）、上述したステップＳ１へ戻る。
【００３６】
Ｂ１チャネルの切断処理が終了すると（ステップＳ３）、接続中なのはＢ２チャネルだけである。しかし、次にＢ２チャネルの回線切断要求がくる前に再びＢ１チャネルの回線接続があったか否か判断する（ステップＳ４）。再度Ｂ１チャネルの回線接続があった場合には（ステップＳ４：ＹＥＳ）、上述した「ＳＴＡＲＴ」に戻る。再度のＢ１チャネル回線接続がない場合には（ステップＳ４：ＮＯ）、Ｂ２チャネル切断命令を検出したか否か判断する（ステップＳ５）。Ｂ１チャネルが接続される前にＢ２チャネルの切断要求がくると（ステップＳ５：ＹＥＳ）、制御部４は、ターミナルアダプタ部８にＢ２チャネルの回線切断を行わせる（ステップＳ６）。Ｂ２チャネル切断命令を検出しない場合には（ステップＳ５：ＮＯ）、Ｂ２チャネル切断命令を待つ。尚、上述したステップＳ１３の後も、上述と同様に処理する（ステップＳ１４〜Ｓ１６）。
【００３７】
以上で、Ｂ１、Ｂ２チャネル共に回線切断処理は終了する（ステップＳ３、Ｓ１３）。この時点で、制御部４は、タイマ起動信号をタイマ５に出力する。これを検出したタイマ５が設定値をカウント開始する（ステップＳ７、Ｓ１７）。カウントが終了する前にＢ１又はＢ２チャネルの一方又は両方からの回線接続があるか否か判断する（ステップＳ８、Ｓ１８）。回線接続があった場合には（ステップＳ８：ＹＥＳ、ステップＳ１８：ＹＥＳ）、タイマ５をリセットする（ステップＳ２０）。
【００３８】
それぞれの場合について、回線切断前の処理に戻る。即ち、タイマ５をリセットした後に（ステップＳ２０）、Ｂ１チャネルが接続されたか否か判断し（ステップＳ２１）、Ｂ１チャネルが接続されない場合には（ステップＳ２１：ＮＯ）、Ｂ２チャネルが接続される（ステップＳ２２）。一方、Ｂ１チャネルが接続された場合には（ステップＳ２１：ＹＥＳ）、Ｂ２チャネルも接続されたか否か判断する（ステップＳ２４）。Ｂ２チャネルも接続された場合には（ステップＳ２４：ＹＥＳ）、上述したステップＳ１へ戻り、接続されない場合には（ステップＳ２４：ＮＯ）、上述したステップＳ１５の▲３▼へ進む。また、ステップＳ２２の後に、Ｂ２チャネルも接続されたか否か判断する（ステップＳ２３）。Ｂ２チャネルも接続された場合には（ステップＳ２３：ＹＥＳ）、上述したステップＳ１へ戻り、接続されない場合には（ステップＳ２３：ＮＯ）、上述したステップＳ５の▲２▼へ進む。
【００３９】
タイマ５のカウントが終了するまでに回線接続がなかった場合には、タイマ５のカウントが終了すると（ステップＳ９、ステップＳ１９）、制御部４は、回線切断部６にＩＳＤＮ回線１１を物理的に切断する命令である回線切断信号を出す（ステップＳ１０）。このメッセージを受けると、回線切断部６（例えばリレー等）は、回線の物理的切断を一時的に行うので回線切断処理が行われる。従って、この処理の前までで、状態不一致（ターミナルアダプタ部８としては回線切断を終了したつもりでも、何らかの不具合によって回線側は回線切断を行えず接続状態のままであった状態）が発生したとしても、この物理的回線切断を行うことにより確実に回線切断処理が行われることになる（ステップＳ１１）。
【００４０】
次に、図４および図５を参照して本発明によるＩＳＤＮ端末装置の第２実施形態の構成および動作を説明する。尚、説明の便宜上、対応する構成要素には、上述した第１実施形態の構成要素と同様の参照符号を使用する。図４は、ＩＳＤＮ端末装置１０’の構成を示すブロック図であり、ＩＳＤＮ回線１１、上位装置１２およびアナログ端末１３間に接続されている。このＩＳＤＮ端末装置１０’は、上位装置切断命令検出部１、フック信号状態検出部２、Ｄチャネル監視部３、制御部４、タイマ５、記憶部７、ターミナルアダプタ部８および電源切断部９により構成される。
【００４１】
このＩＳＤＮ端末装置１０’の図１に示すＩＳＤＮ端末装置１０との相違点は、回線切断部６に代えて電源切断部９を設けている。制御部４からのタイマ起動信号で起動されるタイマ５のカウント終了後に電源切断部９で電源ラインの物理的切断を行う。これにより回線は、確実に切断される。
【００４２】
図５のフローチャートを参照して、図４に示すＩＳＤＮ端末装置１０’の動作を説明する。このＩＳＤＮ端末装置１０’では、装置内部に時計を持たせてタイマ５で設定することにより、決まった時刻（例えば１日１回）に回線を物理的に切断させる。即ち、時計の時間がタイマ５の設定値と一致したか否か判断する（ステップＳ３０）。一致しない場合には（ステップＳ３０：ＮＯ）、一致を待ち、一致した場合には（ステップＳ３０：ＹＥＳ）、制御部４は、電源切断部９に回線を物理的に切断するように命令を出す（ステップＳ３１）。そこで、電源切断部９は、一時的に電源の切断を行い、回線切断を完了する（ステップＳ３２）。
【００４３】
以上、本発明によるＩＳＤＮ端末装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４４】
【効果の説明】
以上の説明から理解される如く、本発明のＩＳＤＮ端末装置によると、次の如き実用上の顕著は効果が得られる。即ち、ＩＳＤＮ端末装置においてＤチャネルの処理で状態不一致（ＩＳＤＮ端末装置としては回線切断を終了したつもりでも何らかの不具合によって回線側は接続状態のままであった状態）が発生した場合には、状態不一致を改善する手段がないために回線事業者より多額の回線使用料を請求される等の不都合が生じることになるが、本発明の回線切断機能を保護機能として取り入れることで内蔵タイマーに設定した時間に回線を物理的に切り離すことができるので確実に回線切断を行える。
【図面の簡単な説明】
【図１】本発明によるＩＳＤＮ端末装置の第１実施形態の構成を示すブロック図である。
【図２】図１に示すＩＳＤＮ端末装置の全体動作を示すフローチャートである。
【図３】図２に示すフローチャートを補足するフローチャートである。
【図４】本発明によるＩＳＤＮ端末装置の第２実施形態の構成を示すブロック図である。
【図５】図４に示すＩＳＤＮ端末装置の動作を示すフローチャートである。
【符号の説明】
１    上位装置切断命令検出部
２    フック信号状態検出部
３    Ｄチャネル監視部
４    制御部
５    タイマ
６    回線切断部
７    記憶部
８    ターミナルアダプタ
９    電源切断部
１０、１０’  ＩＳＤＮ端末装置
１１  ＩＳＤＮ回線
１２  上位装置
１３  アナログ端末
【図１】
0003709924.tif 000002
【図２】
0003709924.tif 000003
【図３】
0003709924.tif 000004
【図４】
0003709924.tif 000005
【図５】
0003709924.tif 000006